(57)【要約】【課題】表示画面の背景の正確な明るさ、色温度または色を取得することができる情報処理装置および情報処理方法を提供する。【解決手段】実施形態の情報処理装置は、取得部、を備える。取得部は、明るさ、色温度または色をパラメータとし、撮像部による表示画面および当該表示画面の背景の撮像により得られた撮像画像が含む表示画面の所定値のパラメータのテストチャートに対応するパラメータの第１の値と、第１の値のパラメータと同一種類のパラメータであって撮像画像が含む背景のパラメータの第２の値と、前記所定値と、に基づいて、第１の値のパラメータと同一種類のパラメータであって背景のパラメータの第３の値を取得する。【選択図】図４
2014120895.tif 000002
【特許請求の範囲】
【請求項１】
明るさ、色温度または色をパラメータとし、撮像部による表示画面および当該表示画面の背景の撮像により得られた撮像画像が含む前記表示画面の所定値のパラメータのテストチャートに対応するパラメータの第１の値と、前記第１の値のパラメータと同一種類のパラメータであって前記撮像画像が含む前記背景のパラメータの第２の値と、前記所定値と、に基づいて、前記第１の値のパラメータと同一種類のパラメータであって前記背景のパラメータの第３の値を取得する取得部、
を備えた情報処理装置。
【請求項２】
前記テストチャートは、前記所定値が異なるパッチを含み、
前記取得部は、前記撮像画像から前記第２の値に近い前記第１の値の複数の前記パッチを特定し、特定した複数の前記パッチの前記所定値を用いて、前記第２の値に対応する前記パッチの前記所定値を補間し、補間した前記所定値を前記第３の値として取得する請求項１に記載の情報処理装置。
【請求項３】
前記撮像画像は、前記所定値が異なる複数の前記パッチが配置された複数の前記テストチャートが切り替え表示される前記表示画面と前記背景とを撮像して得られたものである請求項２に記載の情報処理装置。
【請求項４】
前記撮像画像は、表示条件が異なる前記複数のテストチャートが表示された前記表示画面と前記背景とを撮像して得られたものである請求項１に記載の情報処理装置。
【請求項５】
前記第２の値は、前記撮像画像が含む前記表示画面近傍の前記背景のパラメータの値に重み付けした重み付け平均である請求項１から４のいずれか一に記載の情報処理装置。
【請求項６】
情報処理装置で実行される情報処理方法であって、
前記情報処理装置は、
取得部が、明るさ、色温度または色をパラメータとし、撮像部による表示画面および当該表示画面の背景の撮像により得られた撮像画像が含む前記表示画面の所定値のパラメータのテストチャートに対応するパラメータの第１の値と、前記第１の値のパラメータと同一種類のパラメータであって前記撮像画像が含む前記背景のパラメータの第２の値と、前記所定値と、に基づいて、前記第１の値のパラメータと同一種類のパラメータであって前記背景のパラメータの第３の値を取得する過程、
を含む情報処理方法。
【発明の詳細な説明】
【技術分野】
【０００１】
本発明の実施形態は、情報処理装置および情報処理方法に関する。
【背景技術】
【０００２】
表示装置を操作するリモートコントローラに明るさを検出するセンサを取り付け、リモートコントローラのセンサにより検出した明るさを取得し、取得した明るさを用いて表示装置の画質を制御する技術が提案されている。
【先行技術文献】
【特許文献】
【０００３】
【特許文献１】特開２０１０−１２２２５１号公報
【特許文献２】特開２０１１−１０９１８８号公報
【特許文献３】特開２００６−０７２２５５号公報
【特許文献４】特開２０１１−２２３５０９号公報
【発明の概要】
【発明が解決しようとする課題】
【０００４】
しかしながら、従来技術は、リモートコントローラに取り付けられたセンサを使って表示装置の背景の明るさを検出することを前提とした技術であるが、表示装置の背景の正確な明るさを検出する具体的な方法については記載されていない。例えば、表示装置の背景の明るさを検出するセンサとして携帯端末装置が備えるカメラを用いた場合、カメラの自動補正機能（自動明るさ補正機能やオートホワイトバランス機能など）やカメラの種類によって、正確な明るさを検出することは困難である。
【０００５】
本発明は、上記に鑑みてなされたものであって、表示装置の背景の正確な明るさ、色温度または色の取得を可能とする情報処理装置および情報処理方法を提供することを目的とする。
【課題を解決するための手段】
【０００６】
実施形態の情報処理装置は、取得部、を備える。取得部は、明るさ、色温度または色をパラメータとし、撮像部による表示画面および当該表示画面の背景の撮像により得られた撮像画像が含む表示画面の所定値のパラメータのテストチャートに対応するパラメータの第１の値と、第１の値のパラメータと同一種類のパラメータであって撮像画像が含む背景のパラメータの第２の値と、前記所定値と、に基づいて、第１の値のパラメータと同一種類のパラメータであって背景のパラメータの第３の値を取得する。
【図面の簡単な説明】
【０００７】
【図１】図１は、第１の実施形態にかかるテレビジョン放送表示装置の一例を示す外観斜視図である。
【図２】図２は、第１の実施形態にかかる携帯端末装置のハードウェア構成例を示す図である。
【図３】図３は、第１の実施形態にかかるテレビジョン放送表示装置および携帯端末装置の機能構成を示すブロック図である。
【図４】図４は、第１の実施形態にかかる携帯端末装置における第３の値の出力処理の流れを示すフローチャートである。
【図５】図５は、第１の実施形態にかかる携帯端末装置が備える撮像部の撮像により得られた撮像画像の一例を示す図である。
【図６】図６は、第１の実施形態にかかる携帯端末装置が備える撮像部の撮像により得られた撮像画像の一例を示す図である。
【図７】図７は、第１の実施形態にかかる携帯端末装置に保存されたＲＧＢ値変換用テーブルにおける撮像画像ＲＧＢ値と表示用ＲＧＢ値との対応関係を示す図である。
【図８】図８は、第１の実施形態にかかるテレビジョン放送表示装置が備える表示画面の画質を調整する処理の流れを示すフローチャートである。
【図９】図９は、第２の実施形態にかかる携帯端末装置のハードウェア構成例を示す図である。
【図１０】図１０は、第２の実施形態にかかるテレビジョン放送表示装置および携帯端末装置の機能構成を示すブロック図である。
【図１１】図１１は、第２の実施形態にかかる携帯端末装置における第３の値の出力処理の流れを示すフローチャートである。
【図１２】図１２は、第３の実施形態にかかるテレビジョン放送表示装置および携帯端末装置の機能構成を示すブロック図である。
【図１３】図１３は、第３の実施形態にかかる携帯端末装置における第３の値の出力処理の流れを示すフローチャートである。
【発明を実施するための形態】
【０００８】
（第１の実施形態）
図１は、第１の実施形態にかかるテレビジョン放送表示装置の一例を示す外観斜視図である。図１に示すように、テレビジョン放送表示装置１は、支持部１０３により支持され正面視で長方形状の外観を有する筐体１０１と、静止画や動画等の各種情報を表示する表示画面Ｇを有する表示部としてのＬＣＤ（Liquid  Crystal  Display）１０２と、を備えている。
【０００９】
図２は、第１の本実施形態にかかる携帯端末装置のハードウェア構成例を示す図である。図１および図２に示すように、本実施形態にかかる携帯端末装置２は、表示部２１と、入力部２２と、加速度センサ２３と、撮像部２４と、通信部２５と、記憶部２６と、制御部２７とを備える。また、図示しないが、携帯端末装置２は、スピーカやマイクロフォン等も備えるものとする。
【００１０】
表示部２１は、例えばＬＣＤや有機ＥＬ（Electro  Luminescence）ディスプレイ等の表示デバイスである。表示部２１は、制御部２７による制御の下、各種の情報を表示する。
【００１１】
入力部２２は、ユーザから各種指示や情報入力を受け付けるための、ポインティングデバイスやボタン等の入力デバイスである。なお、本実施形態では、ポインティングデバイスとして、表示部２１の画面上に配置された透明の座標検出装置を備えたタッチパネルを用いるものとするが、これに限らないものとする。
【００１２】
加速度センサ２３は、自装置にかかる加速度をセンシングするセンシング機器であって、例えば、３軸方向における自装置の姿勢の変化（傾斜や回転）を、センシング結果として出力する。
【００１３】
撮像部２４は、テレビジョン放送表示装置１が備える表示画面Ｇの前方から、当該表示画面Ｇと当該表示画面Ｇの背景とを撮像可能である。
【００１４】
通信部２５は、インターネットなどのネットワーク（図示せず）に接続可能な通信インタフェースである。通信部２５は、制御部２７による制御の下、ネットワークに接続された外部装置（例えば、テレビジョン放送表示装置１）との間で各種の情報を授受する。
【００１５】
記憶部２６は、ＲＯＭ、ＨＤＤ、ＳＳＤ（Solid  State  Drive）等の不揮発性の記憶媒体を有し、各種のプログラムや設定情報等を記憶する。
【００１６】
制御部２７は、ＣＰＵ、ＲＡＭ等を有し（何れも図示せず）、記憶部２６に記憶されたプログラムと協働することで、携帯端末装置２の動作を統括的に制御する。
【００１７】
次に、図３を用いて、本実施形態にかかるテレビジョン放送表示装置１および携帯端末装置２の機能構成について説明する。図３は、第１の実施形態にかかるテレビジョン放送表示装置および携帯端末装置の機能構成を示すブロック図である。
【００１８】
テレビジョン放送表示装置１は、ＣＰＵ（Central  Processing  Unit）等の図示しない制御部が、表示制御アプリケーションを実行することにより、図３に示すように、受信部４０１および表示制御部４０２を実現する。受信部４０１は、携帯端末装置２から、表示画面Ｇの明るさ、色温度および色の調整に用いるパラメータ情報を受信する。表示制御部４０２は、受信部４０１により受信したパラメータ情報に基づいて、表示画面Ｇの明るさ、色温度および色を調整する。なお、本実施形態では、表示制御部４０２は、表示画面Ｇの明るさ、色、色温度を調整しているが、これに限定するものではなく、例えばシャープネスなどその他の画質系のパラメータも調整可能である。
【００１９】
携帯端末装置２の制御部２７は、記憶部２６に記憶されたプログラムを実行することにより、図３に示すように、取得部４１０を実現する。取得部４１０は、明るさ、色温度または色をパラメータとし、撮像部２４の撮像により得られた撮像画像Ｘ（図５参照）が含む所定値のパラメータの画像（本実施形態では、図５に示すテストチャートＴ）に対応するパラメータの第１の値と、第１の値のパラメータと同一種類のパラメータであって撮像画像Ｘが含む背景Ｂ（図５参照）のパラメータの第２の値と、所定値（テストチャートＴのパラメータの値）と、に基づいて、第１の値のパラメータと同一種類のパラメータであって表示画面Ｇの背景Ｂのパラメータの第３の値を取得する。そして、取得部４１０は、第３の値を表すパラメータ情報をテレビジョン放送表示装置１に出力する。本実施形態では、所定値、第１の値、第２の値および第３の値は、明るさを表す値（ｃｄ／ｍ２）、色温度を表す値（Ｋ）または色を表す値（ＸＹＺ値）である。
【００２０】
次に、図４〜図６を用いて、本実施形態にかかる携帯端末装置２における第３の値の出力処理について詳細に説明する。図４は、第１の実施形態にかかる携帯端末装置における第３の値の出力処理の流れを示すフローチャートである。図５および図６は、第１の実施形態にかかる携帯端末装置が備える撮像部の撮像により得られた撮像画像の一例を示す図である。
【００２１】
携帯端末装置２のユーザ操作によって、テレビジョン放送表示装置１が備える表示画面Ｇの明るさ、色温度または色の調整が指示されると、取得部４１０は、撮像部２４による撮像に先立って、通信部２４を介して、テストチャートＴ（図５参照）の表示を指示する制御信号をテレビジョン放送表示装置１に対して送信する（ステップＳ４０１）。
【００２２】
制御信号を送信後、取得部４１０は、撮像部２４を、テレビジョン放送表示装置１が備える表示画面Ｇと当該表示画面Ｇの背景（例えば、テレビジョン放送表示装置１の背面側の壁など）とを撮像可能な状態とする。そして、携帯端末装置２のユーザ操作によって撮像が指示されると、撮像部２４は、表示画面Ｇ全体と当該表示画面Ｇの背景Ｂとを撮像する（ステップＳ４０２）。これにより、取得部４１０は、表示画面Ｇ全体と当該表示画面Ｇの背景Ｂとを含む撮像画像Ｘを得る。本実施形態では、撮像部２４は、表示画面Ｇ全体を撮像しているが、所定値のパラメータの画像の一例としてのテストチャートＴ（図５参照）に配置された各パッチｘ１〜ｘ１２のパラメータを特定できるように、表示画面Ｇの少なくとも一部を撮像すれば良い。
【００２３】
本実施形態では、撮像部２４は、図５に示すように、明るさ、色温度または色をパラメータとする所定値が異なる複数のパッチｘ１〜ｘ１２が格子状に配置されたテストチャートＴが表示された表示画面Ｇと、背景Ｂと、を撮像する。テストチャートＴには、明るさ（所定値の一例）が異なる複数のパッチｘ１〜ｘ６、色温度（所定値）が異なる複数のパッチｘ７〜ｘ９および色（所定値）が異なる複数のパッチｘ１０〜ｘ１２が含まれている。本実施形態では、テストチャートＴに配置されたパッチｘ１〜ｘ１２のうち、明るさが異なる複数のパッチｘ１〜ｘ６は、無彩色の画像であり、色（または色温度）が異なる複数のパッチｘ７〜ｘ１２は、有彩色の画像である。以下の説明では、各パッチｘ１〜ｘ１２を特定する必要がない場合には、パッチｘｎ（ｎ：１〜１２）と記載する。
【００２４】
次いで、撮像画像Ｘを取得すると、取得部４１０は、取得した撮像画像Ｘに基づいて、通信部２５を介してテレビジョン放送表示装置１に対してパラメータ情報を出力する処理を行う。まず、携帯端末装置２のユーザ操作によって表示画面Ｇの背景Ｂの明るさの取得が指示された場合のパラメータ情報の出力処理について説明する。以下の説明では、表示画面Ｇの背景Ｂの明るさを第３の値として取得する処理について説明するが、表示画面Ｇの背景Ｂの色温度または色を第３の値として取得する処理も同様に行う。
【００２５】
取得部４１０は、撮像画像Ｘから、撮像画像Ｘが含むテストチャートＴに配置されたパッチｘｎの明るさ（パラメータ）の第１の値のパラメータと同一種類のパラメータであって当該撮像画像Ｘが含む背景Ｂの明るさ（パラメータ）の第２の値を特定する（ステップＳ４０３）。
【００２６】
本実施形態では、取得部４１０は、図５に示すように、撮像画像Ｘから、テレビジョン放送表示装置１の表示画面Ｇに表示され当該表示画面Ｇの位置を特定可能な位置特定用表示Ｍを検出し、検出した位置特定用表示Ｍにより囲まれる領域Ｒ１を表示画面Ｇとして検出するとともに、領域Ｒ１の外側の領域を背景Ｂとして検出する。
【００２７】
次いで、取得部４１０は、検出した背景Ｂの明るさ（パラメータ）を表す値うち表示画面Ｇ近傍の明るさ（パラメータ）を表す値に重み付けした重み付け平均を、背景Ｂの明るさ（パラメータ）の第２の値として特定する。本実施形態では、取得部４１０は、検出した背景Ｂの明るさ（パラメータ）を表す値の重み付け平均を、背景Ｂの明るさ（パラメータ）の第２の値として特定しているが、これに限定するものではなく、例えば、検出した背景Ｂの明るさ（パラメータ）を表す値の平均を、背景Ｂの明るさの第２の値として特定しても良いし、表示画面Ｇ近傍の明るさ（パラメータ）を表す値を、背景Ｂの明るさ（パラメータ）の第２の値として特定しても良い。
【００２８】
次に、取得部４１０は、撮像画像Ｘから検出した表示画面Ｇに含まれるテストチャートＴに配置された複数のパッチｘ１〜ｘ１２の中から、特定した背景Ｂの明るさ（パラメータ）の第２の値と同じ第１の値のパッチｘｎを特定する（ステップＳ４０４）。
【００２９】
具体的には、取得部４１０は、まず、図６に示すように、撮像画像Ｘから検出した表示画面Ｇから、格子状に配置された複数の領域Ｒ２を検出する。そして、取得部４１０は、各領域Ｒ２の画像を、テストチャートＴに配置されたパッチｘ１〜ｘ１２として認識し、認識したパッチｘ１〜ｘ１２の中から、無彩色のパッチｘ１〜ｘ６を、明るさ（所定値）が異なる複数のパッチｘ１〜ｘ６として選択する。次いで、取得部４１０は、選択した複数のパッチｘ１〜ｘ６それぞれのＲＧＢ各色の信号値の組み合わせである撮像画像ＲＧＢ値が表す明るさ（第１の値）と、ステップＳ４０３で特定した背景Ｂの明るさ（第２の値）とを比較して、背景Ｂの明るさ（第２の値）と同じ明るさ（第１の値）のパッチｘｎを特定する。
【００３０】
また、取得部４１０は、背景Ｂの明るさ（第２の値）と同じ明るさ（第１の値）のパッチｘｎが存在しない場合、背景Ｂの明るさ（第２の値）に近い明るさ（第１の値）の複数のパッチｘｎを特定する。具体的には、取得部４１０は、背景Ｂの明るさ（第２の値）よりも暗くかつ当該背景Ｂの明るさに最も近い明るさ（第１の値）のパッチｘｎと、背景Ｂの明るさ（第２の値）よりも明るくかつ当該背景Ｂの明るさに最も近い明るさ（第１の値）のパッチｘｎと、を特定する。
【００３１】
次に、取得部４１０は、撮像画像Ｘが含む背景Ｂの明るさ（第２の値）と同じ明るさ（第１の値）のパッチｘｎが特定された場合、特定したパッチｘｎの所定値である明るさを、表示画面Ｇの背景Ｂの明るさ（第３の値）として取得して、取得した明るさ（第３の値）をパラメータ情報として表示画面テレビジョン放送表示装置１に出力する（ステップＳ４０５）。
【００３２】
携帯端末装置２が備える撮像部２４の撮像により得られた撮像画像Ｘには、一般的に、撮像部２４の種類、撮像部２４が有する自動補正機能（例えば、自動的に明るさを補正する自動明るさ補正や自動的にホワイトバランスを補正するオートホワイトバランスなど）等の撮像部２４固有の特性による効果が含まれている。そのため、テレビジョン放送表示装置１の表示画面Ｇの背景Ｂの正確な明るさ、色温度または色を取得するためには、撮像部２４固有の特性を考慮する（言い換えると、撮像部２４固有の特性をキャンセルする）必要がある。
【００３３】
そこで、取得部４１０は、テストチャートＴ（所定値のパラメータの画像の一例）に配置されたパッチｘｎの明るさ（所定値）と、撮像画像Ｘが含むパッチｘｎの第１の値としての明るさ（撮像部２４固有の特性が含まれるパッチｘｎの明るさ）と、に基づいて、撮像部２４固有の特性による撮像画像Ｘのパッチｘｎの明るさの変化量を求める。ここで、撮像部２４固有の特性による撮像画像Ｘのパッチｘｎの明るさの変化量とは、例えば、テストチャートＴ（画像の一例）に配置されたパッチｘｎの明るさ（所定値）と、撮像画像Ｘが含むパッチｘｎの第１の値としての明るさ（撮像部２４固有の特性が含まれるパッチｘｎの明るさ）と、の差分等である。そして、取得部４１０は、求めた変化量に基づいて、撮像画像Ｘが含む背景Ｂの明るさ（第２の値）から、表示画面Ｇの背景Ｂの第３の値としての明るさ（撮像部２４固有の特性が含まれない明るさ）を取得（推定）する。
【００３４】
本実施形態では、携帯端末装置２は、撮像画像Ｘが含むテストチャートＴに配置されたパッチｘｎのＲＧＢ各色の信号値の組み合わせである撮像画像ＲＧＢ値と、表示画面Ｇに表示されたテストチャートＴに配置されたパッチｘｎのＲＧＢ各色の信号値の組み合わせである表示用ＲＧＢ値と、を対応付けるＲＧＢ値変換用テーブルを記憶部２６に保存している。言い換えると、表示用ＲＧＢ値は、テストチャートＴに配置されたパッチｘｎの明るさ、色温度または色の所定値（基準値）を表す信号値である。図７は、第１の実施形態にかかる携帯端末装置に保存されたＲＧＢ値変換用テーブルにおける撮像画像ＲＧＢ値と表示用ＲＧＢ値との対応関係を示す図である。本実施形態では、ＲＧＢ値変換用テーブルは、図７に示すように、撮像画像ＲＧＢ値を、表示用ＲＧＢ値に対応付けている。例えば、ＲＧＢ値変換用テーブルは、図７に示すように、撮像画像ＲＧＢ値に含まれるＲの信号値「１４０」を、表示用ＲＧＢ値に含まれるＲの信号値「１２０」と対応付けている。
【００３５】
そして、取得部４１０は、撮像画像Ｘが含む背景Ｂの明るさを表す第２の値と同じ明るさを表す第１の値のパッチｘｎが特定された場合、ＲＧＢ値変換用テーブルから、特定されたパッチｘｎの撮像画像ＲＧＢ値と対応付けられた表示用ＲＧＢ値を読み出し、読み出した表示用ＲＧＢ値が表す明るさ（所定値）を、表示画面Ｇの背景Ｂの明るさ（第３の値）として取得し、取得した明るさをテレビジョン放送表示装置１に出力する。本実施形態では、取得部４１０は、記憶部２６に保存されたＲＧＢ値変換用テーブルから、表示用ＲＧＢ値を読み出しているが、ネットワークを介して接続されたサーバ（図示しない）に記憶されたＲＧＢ値変換用テーブルから、表示用ＲＧＢ値を読み出しても良い。
【００３６】
また、取得部４１０は、撮像画像Ｘが含む背景Ｂの明るさ（第２の値）に近い明るさ（第１の値）の複数のパッチｘｎが特定された場合、ＲＧＢ値変換用テーブルから、特定された複数のパッチｘｎの撮像画像ＲＧＢ値に対応付けられた複数の表示用ＲＧＢ値を読み出す。そして、取得部４１０は、読み出した複数の表示用ＲＧＢ値を用いて、撮像画像Ｘが含む背景Ｂの明るさ（第２の値）と同じ明るさ（第１の値）の仮想的なパッチの表示用ＲＧＢ値を補間し、補間した表示用ＲＧＢ値が表す明るさを表示画面Ｇの背景Ｂの明るさ（第３の値）として取得する。すなわち、取得部４１０は、撮像画像Ｘが含む背景Ｂの明るさ（第２の値）に近い明るさ（第１の値）に対応する複数のパッチｘｎを特定し、特定した複数のパッチｘｎの明るさ（所定値）を用いて、撮像画像Ｘが含む背景Ｂの明るさ（第２の値）に対応する仮想的なパッチの明るさ（所定値）を補間し、補間した明るさ（所定値）を第３の値として取得する。
【００３７】
より具体的には、取得部４１０は、ＲＧＢ値変換用テーブルから、背景Ｂの明るさ（第２の値）よりも暗く（小さく）かつ背景Ｂの明るさ（第２の値）に最も近い明るさ（第１の値）のパッチｘｎ（例えば、パッチｘ１）の撮像画像ＲＧＢ値、および背景Ｂの明るさ（第２の値）よりも明るく（大きく）かつ背景Ｂの明るさ（第２の値）に最も近い明るさ（第１の値）のパッチｘｎ（例えば、パッチｘ２）の撮像画像ＲＧＢ値それぞれに対応付けられた２つの表示用ＲＧＢ値を読み出す。そして、取得部４１０は、読み出した２つの表示用ＲＧＢ値を用いて、撮像画像Ｘが含む背景Ｂの明るさ（第２の値）と同じ明るさ（第１値）の仮想的なパッチの表示用ＲＧＢ値を補間し、補間した表示用ＲＧＢちが表す明るさ（所定値）を表示画面Ｇの背景Ｂの明るさ（第３の値）として取得する。
【００３８】
本実施形態では、取得部４１０は、表示画面Ｇの背景Ｂの明るさ（第３の値）をテレビジョン放送表示装置１に出力しているが、表示画面Ｇの背景Ｂの明るさそのものを出力するのではなく、表示画面Ｇの背景の明るさ（第３の値）の基準となるパラメータ情報を出力しても良い。
【００３９】
例えば、取得部４１０は、撮像画像Ｘが含む表示画面Ｇのパラメータの第１の値としての明るさと撮像画像Ｘに含まれる背景Ｂのパラメータの第２の値としての明るさとを含む情報をパラメータ情報として出力して、テレビジョン放送表示装置１において取得部４１０と同様の処理を行って第３の値を取得するよう構成しても良い。また、取得部４１０は、撮像画像Ｘが含む表示画面Ｇのパラメータの第１の値としての明るさと撮像画像Ｘが含む背景Ｂのパラメータの第２の値としての明るさとの関係（具体的には、撮像画像Ｘが含む表示画面Ｇの明るさ（第１の値）が撮像画像Ｘが含む背景Ｂの明るさ（第２の値）より明るい（大きい）、撮像画像Ｘが含む表示画面Ｇの明るさ（第１の値）が撮像画像Ｘが含む背景Ｂの明るさ（第２の値）より暗い（小さい）など）をパラメータ情報として出力しても良い。若しくは、撮像部２４の撮像により得られた撮像画像Ｘをテレビジョン放送表示装置１に出力して、取得部４１０における処理を全てテレビジョン放送表示装置１で行っても良い。その場合、テレビジョン放送表示装置１が情報処理装置として機能する。
【００４０】
続いて、図８を用いて、本実施形態にかかるテレビジョン放送表示装置１において表示画面Ｇの明るさ、色温度または色等を調整する処理について詳細に説明する。図８は、第１の実施形態にかかるテレビジョン放送表示装置が備える表示画面の画質を調整する処理の流れを示すフローチャートである。
【００４１】
受信部４０１は、表示画面Ｇの明るさと色温度と色とが標準状態に調整された調整専用モードへと移行し、携帯端末装置２から、テストチャートＴの表示を指示する制御信号の受信を待つ（ステップＳ８０１：Ｎｏ）。受信部４０１によって制御信号が受信されると（ステップＳ８０１：Ｙｅｓ）、表示制御部４０２は、テストチャートＴを表示画面Ｇに表示させる（ステップＳ８０２）。なお、表示制御部４０２は、テストチャートＴを表示画面Ｇに表示させる際、表示画面Ｇのホワイトバランス等を調整して表示画面Ｇの表示条件を初期化した状態でテストチャートＴを表示画面Ｇに表示させるものとする。
【００４２】
テストチャートＴをＬＣＤ１０２に表示した後、受信部４０１は、携帯端末装置２から送信された第３の値（表示画面Ｇの背景の明るさ、色温度または色）を受信する（ステップＳ８０３）。
【００４３】
受信部４０１によって第３の値を受信すると、表示制御部４０２は、受信した第３の値に基づいて、テレビジョン放送表示装置１が備える表示画面Ｇの明るさ、色温度、色、シャープネス等の画質を調整する（ステップＳ８０４）。例えば、表示制御部４０２は、第３の値として受信した背景Ｂの明るさが、表示画面Ｇの映像の明るさよりも明るい場合には、当該映像を明るく表示する。また、表示制御部４０２は、第３の値として受信した背景の色温度が、表示画面Ｇの映像の色温度よりも高い場合には、当該映像の色温度を高くする。
【００４４】
このように、第１の実施形態にかかる携帯端末装置２によれば、撮像部２４固有の特性を考慮して（撮像部２４固有の特性をキャンセルして）表示画面Ｇの背景Ｂの明るさ、色温度または色が取得されるので、表示画面Ｇの背景Ｂの正確な明るさ、色温度または色を取得することができる。
【００４５】
（第２の実施形態）
本実施形態は、携帯端末装置において、テストチャートに配置されたパッチの明るさ、色温度および色を測定し、測定したパッチの明るさ、色温度および色を用いて、第３の値を取得する例である。なお、以下の説明では、第１の実施形態と同様の箇所については説明を省略する。
【００４６】
図９は、第２の実施形態にかかる携帯端末装置のハードウェア構成例を示す図である。図９に示すように、本実施形態にかかる携帯端末装置９００は、表示部２１と、入力部２２と、加速度センサ２３と、撮像部２４と、通信部２５と、記憶部２６と、制御部２７と、測定部９０１と、を備える。
【００４７】
測定部９０１は、撮像部２４によって表示画面Ｇおよび当該表示画面Ｇの背景の撮像が行われる前に、テレビジョン放送表示装置１の表示画面Ｇに表示されたテストチャートＴに配置された各パッチｘｎの所定値としての明るさ（ｃｄ／ｍ２）、色温度（Ｋ）および色（ＸＹＺ値）を測定する。
【００４８】
図１０は、第２の実施形態にかかるテレビジョン放送表示装置および携帯端末装置の機能構成を示すブロック図である。図１１は、第２の実施形態にかかる携帯端末装置における第３の値の出力処理の流れを示すフローチャートである。本実施形態にかかる携帯端末装置９００の制御部２７は、記憶部２６に記憶されたプログラムを実行することにより、図１０に示すように、取得部１００１を実現する。以下の説明では、表示画面Ｇの背景Ｂの明るさを第３の値として取得する処理について説明するが、表示画面Ｇの背景Ｂの色温度または色を第３の値として取得する処理も同様に行う。
【００４９】
本実施形態にかかる携帯端末装置９００では、撮像部２４による表示画面Ｇおよび当該表示画面Ｇの背景Ｂの撮像の前に、測定部９０１が、テレビジョン放送表示装置１が備える表示画面Ｇに表示されたテストチャートＴに配置された各パッチｘ１〜ｘ１２の所定値である明るさ（ｃｄ／ｍ２）、色温度（Ｋ）および色（ＸＹＺ値）を測定する（ステップＳ１１０１）。
【００５０】
そして、取得部１００１は、携帯端末装置９００のユーザ操作によって表示画面Ｇの背景Ｂの明るさの取得が指示された場合には、測定部９０１による測定結果であるパッチｘ１〜ｘ１２の明るさ（所定値）から、ステップＳ４０４で特定したパッチｘｎの明るさを取得し、取得した明るさ（所定値）を、表示画面Ｇの背景Ｂの明るさ（第３の値）としてテレビジョン放送表示装置１に出力する（ステップＳ１１０２）。本実施形態では、取得部１００１は、携帯端末装置９００が備える測定部９０１による測定結果から、ステップＳ４０４で特定したパッチｘｎの明るさを取得しているが、これに限定するものではない。テレビジョン放送表示装置１の出荷前等に、輝度計などの外部測定機器によってテレビジョン放送表示装置１が備える表示画面Ｇに表示されたテストチャートＴに配置された各パッチｘ１〜ｘ１２の所定値である明るさ（ｃｄ／ｍ２）、色温度（Ｋ）および色（ＸＹＺ値）を測定し、その測定結果を、携帯端末装置９００がネットワークを介してアクセス可能なサーバやテレビジョン放送表示装置１等に保存しておき、サーバやテレビジョン放送表示装置１等に保存された測定結果から、ステップＳ４０４で特定したパッチｘｎの明るさを取得しても良い。輝度計などの専用の測定機器を用いて所定値を測定することにより、より正確な所定値を取得することが可能となる。なお、外部測定機器によって所定値を測定する場合、ステップＳ１１０１に示す処理は外部測定機器において行われる。
【００５１】
このように、第２の実施形態の携帯端末装置９００によれば、第１の実施形態と同様に、撮像部２４固有の特性を考慮して表示画面Ｇの背景Ｂの明るさ、色温度または色が取得されるので、表示画面Ｇの背景Ｂの正確な明るさ、色温度または色を取得することができる。
【００５２】
（第３の実施形態）
本実施形態は、携帯端末装置において、切り替えて表示される複数のテストチャートに配置されたパッチの明るさ、色温度および色を測定し、測定したパッチの明るさ、色温度および色を用いて、第３の値を取得する例である。なお、以下の説明では、第２の実施形態と同様の箇所については説明を省略する。
【００５３】
図１２は、第３の実施形態にかかるテレビジョン放送表示装置および携帯端末装置の機能構成を示すブロック図である。図１３は、第３の実施形態にかかる携帯端末装置における第３の値の出力処理の流れを示すフローチャートである。本実施形態にかかる携帯端末装置１２００の制御部２７は、記憶部２６に記憶されたプログラムを実行することにより、図１２に示すように、取得部１２０１を実現する。また、本実施形態にかかるテレビジョン放送表示装置１２１０は、図示しない制御部が表示制御アプリケーションを実行することにより、図１２に示すように、受信部１２１１および表示制御部１２１２を実現する。
【００５４】
取得部１２０１は、測定部９０１によるテストチャートＴに配置されたパッチｘ１〜ｘ１２の所定値である明るさ（ｃｄ／ｍ２）、色温度（Ｋ）および色（ＸＹＺ値）の測定が行われる度に（ステップＳ１３０１）、テストチャートＴの切り替えを指示する切替信号をテレビジョン放送表示装置１に送信する。（ステップＳ１３０３）
【００５５】
テレビジョン放送表示装置１２１０の受信部１２１１は、携帯端末装置１２００から送信された切替信号を受信する。そして、テレビジョン放送表示装置１２１０の表示制御部１２１２は、受信部１２１１により携帯端末装置２から切替信号を受信すると、表示画面Ｇに表示されたテストチャートＴを、表示済みのテストチャートＴに配置されていたパッチｘｎとは所定値が明るさ、色温度または色が異なるパッチｘｎが配置されたテストチャートＴに切り替える。
【００５６】
本実施形態では、テレビジョン放送表示装置１２１０は、明るさ、色温度または色が異なるパッチｘｎが配置された複数のテストチャートＴを記憶しており、当該複数のテストチャートＴを、受信した切替信号に応じて切り替えて表示する。また、表示制御部１２１２は、携帯端末装置２から受信した切替信号に応じて、表示画面Ｇに表示するテストチャートＴの表示条件（例えば、明るさ、色温度、色など）を変更することにより、明るさ、色温度または色が異なるパッチｘｎが配置されたテストチャートＴを切り替えて表示するようにしても良い。また、本実施形態では、表示制御部１２１２は、明るさ、色温度または色が異なる複数のパッチｘｎが配置されたテストチャートＴを表示画面Ｇに表示させているが、明るさ、色温度または色が異なる一つのパッチｘｎ（所定値のパラメータの画像）を表示画面Ｇに切り替えて表示するようにしても良い。
【００５７】
測定部９０１は、テレビジョン放送表示装置１２１０に記憶されたテストチャートＴの数に相当する回数若しくはテレビジョン放送表示装置１２１０において変更可能な表示条件の数に相当する回数、テストチャートＴに配置されたパッチｘｎの明るさ（ｃｄ／ｍ２）、色温度（Ｋ）および色（ＸＹＺ値）の測定を繰り返す（ステップＳ１３０２：Ｎｏ）。そして、テレビジョン放送表示装置１２１０に記憶されたテストチャートＴの数に相当する回数若しくはテレビジョン放送表示装置１２１０において変更可能な表示条件の数に相当する回数、測定部９０１による測定が繰り返された後（ステップＳ１３０２：Ｙｅｓ）、ステップＳ４０２に進む。なお、外部測定機器により所定値の測定を行う場合には、ステップＳ１３０１〜ステップＳ１３０３に示す処理は、外部測定機器において行われる。
【００５８】
撮像部２４は、取得部１２０１によって、特定した第２の値と同じ第１の値のパッチｘｎが特定されるまで（ステップＳ１３０４：Ｙｅｓ）、所定値が異なる複数のパッチｘｎが配置され切り替えて表示される複数のテストチャートＴ（若しくは、表示条件が異ならせて切り替えて表示される複数のテストチャートＴ）の撮像を繰り返す（ステップＳ１３０４：Ｎｏ）。すなわち、撮像部２４の撮像により得られる撮像画像Ｘは、所定値が異なる複数のパッチｘｎが配置された複数のテストチャートＴが切り替え表示される表示画面Ｇと背景Ｂとを撮像して得られたもの、または表示条件が異なる複数のテストチャートＴが表示された表示画面Ｇと背景Ｂとを撮像して得られたものである。
【００５９】
このように、第３の実施形態の携帯端末装置１２００によれば、明るさ、色温度または色をパラメータとする所定値が異なるパッチｘｎが配置された複数のテストチャートが切り替え表示される表示画面Ｇを撮像することにより、撮像画像Ｘに含まれる背景Ｂのパラメータの第２の値により近い第１の値のパッチｘｎを特定することができるので、より高精度に表示画面Ｇの背景Ｂの明るさ、色温度または色を取得することができる。
【００６０】
以上説明したとおり、第１から第３の実施形態によれば、表示画面Ｇの背景Ｂの正確な明るさ、色温度または色を取得することができる。
【００６１】
なお、本実施形態のテレビジョン放送表示装置および携帯端末装置で実行されるプログラムは、ＲＯＭ等に予め組み込まれて提供されるが、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６２】
さらに、本実施形態のテレビジョン放送表示装置および携帯端末装置で実行されるプログラムを、インターネット等のネットワークに接続されたコンピュータ上に格納し、ネットワーク経由でダウンロードさせることにより提供するように構成しても良い。また、本実施形態のテレビジョン放送表示装置および携帯端末装置で実行されるプログラムをインターネット等のネットワーク経由で提供または配布するように構成しても良い。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１，１２１０・・・テレビジョン放送表示装置，２，９００，１２００・・・携帯端末装置，２４・・・撮像部，２５・・・通信部，２６・・・記憶部，２７・・・制御部，１０２・・・ＬＣＤ，４０１，１２１１・・・受信部，４０２，１２１２・・・表示制御部，４１０，１００１，１２０１・・・取得部，９０１・・・測定部，Ｂ・・・背景，Ｇ・・・表示画面，Ｍ・・・位置特定用表示，Ｘ・・・撮像画像。
【図１】
2014120895.tif 000003
【図２】
2014120895.tif 000004
【図３】
2014120895.tif 000005
【図４】
2014120895.tif 000006
【図５】
2014120895.tif 000007
【図６】
2014120895.tif 000008
【図７】
2014120895.tif 000009
【図８】
2014120895.tif 000010
【図９】
2014120895.tif 000011
【図１０】
2014120895.tif 000012
【図１１】
2014120895.tif 000013
【図１２】
2014120895.tif 000014
【図１３】
2014120895.tif 000015